(57)【要約】      （修正有）【課題】連結と解除が極めて簡単に行うことができる一方、止め具は簡単な操作なくしては容易に解除されない止め具を提供してネックレス等の装身具の使用は容易かつ安全に行えるようにする。【解決手段】第１係止体２とこれに着脱自在に係合する第２係止体３とからなるネックレス等の装身具その他の止め具１であって、前記第１係止体は支持体に回動可能に軸支され第１弾性部材５ｃにより噛み合い位置方向に常時付勢される第１噛合い手段５を具え、前記第２係止体は基部に一端を支持され他端は両係止体の結合時に前記第１係止体の支持体に収納支持される第２噛合い手段７とこの第２噛合い手段を前記第１噛合い手段との噛み合い位置方向に常時付勢する第２弾性部材９ａを具え、第１および第２弾性部材への押圧により第１と第２噛合い手段の噛合いを解除して第１と第２の係止体の結合を分離できるようにする。【選択図】図５
0003117711.tif 000002
【実用新案登録請求の範囲】
【請求項１】
第１係止体とこれに着脱自在に係合する第２係止体とからなるネックレス等の装身具その他の止め具であって、前記第１係止体は支持体に回動可能に軸支され第１弾性部材により噛み合い位置方向に常時付勢される第１噛合い手段を具え、前記第２係止体は基部に一端を支持され他端は両係止体の結合時に前記第１係止体の支持体に収納支持される第２噛合い手段とこの第２噛合い手段を前記第１噛合い手段との噛み合い位置方向に常時付勢する第２弾性部材を具えてなり、前記第１および第２弾性部材への押圧により第１および第２噛合い手段相互の噛合いを解除して第１係止体と第２係止体との結合を分離するようにしたことを特徴とする止め具。
【請求項２】
請求項１の止め具において、前記第１噛合い手段の一端には鉤部を設けるとともに回転軸廻りには前記弾性部材として線ばねを介装し、前記第２噛合い手段の一端には前記第２弾性部材の付勢力を解除するための押圧部を形成するとともに前記第１噛合い手段の前記鉤部と噛合う鉤部を設けたことを特徴とする止め具。
【請求項３】
請求項２の止め具において、前記第１係止の支持体は上面開口部ならびに端部開口部を有する筐体で構成しこの筐体の上面開口部近傍において前記第１噛合い手段が回転可能に軸支される一方、第１および第２係止体の連結時には前記端部開口部を介して前記第２噛合い手段の一部が前記筐体の下部に収納支持されるように構成したことを特徴とする止め具。
【請求項４】
請求項１ないし３いずれか記載の止め具において、前記第２噛合い手段は固定部材と回動部材とからなりこの両者の端部相互は回転可能に軸支されるとともに回動部材と固定部材との間には前記第２弾性部材が介装され記回動部材を常時付勢して第１および第２係止体の連結時に前記回動部材に設けた鉤部が前記第１噛合い手段の鉤部と噛合うようにしたことを特徴とする止め具。
【考案の詳細な説明】
【技術分野】
【０００１】
本願考案は、ネックレス、ループタイ、ブレスレット等の装身具に用いられる止め具に関するものである。
【背景技術】
【０００２】
ネックレス、ループタイ、ブレスレット等の装身具に用いられる止め具として は、たとえば、特許文献１乃至３等に開示されたものがある。
【０００３】
特許文献１に開示された留めがねは、第１の留めがね部品を含む。第１の留めがね部品は、ハウジングと、ホールダとを含む。ホールダは貫通孔を有し、可撓性部材からなるウエブを含み、ハウジング内に支持される。
【０００４】
特許文献２に開示された止め具 は、外殻体と、弾性体とを含む。外殻体は、内壁面が球面状の中空部を有する。弾性体は、その外周面が、内壁面に圧接にする構造によってのみ支持されて中空部に内蔵されている。
【０００５】
特許文献３は、特許文献１に記載された止め具 を製造する技術を開示している。この製造方法は、パイプの中に弾性材チューブを製造する工程と、前記素材を軸方向に間欠移動させる工程と、前記間欠移動に従って前記素材をプレス形成する工程と、形成物を切り離す工程とよりなる。
【０００６】
しかしながら、特許文献１乃至３に記載された発明では、次のような問題点がある。
【０００７】
（１）特許文献１では、第１の留めがね部品は、ハウジングに、ホールダの支持構造を備える必要があるから、ハウジングの製造が困難である。
【０００８】
（２）特許文献２では、内周面が球面状である外殻体の中空部に、外周が円形状の弾性体を圧接させる構造を採用しているから、弾性体は、中空部の最大内径の位置で安定に支持される。このような止め具を製造するには、特許文献３に開示されているような特殊な製造方法を採用しなければならず、中空部に弾性体を形成する作業が困難である。
【０００９】
（３）特許文献３に開示される製造方法では、止め具 の形成後に、弾性体を外殻体から取り出すことを想定していない。従って、特許文献２の止め具 を、特許文献３に開示する方法で製造した場合、長期使用による磨耗や破損等の不具合が生じたとしても、弾性体を交換することは困難である。
【００１０】
（４）特許文献２は、外殻体の中空部に弾性体を安定して内蔵する構造として、完結した止め具 を開示するにとどまる。即ち、外殻体の外部にさらに装飾体を取り付ける場合に、弾性体が何らかの機能を有する構造ついては全く想定していない。
【特許文献１】特開昭５７−５５１０２号公報
【特許文献２】特許３３６７６５１号公報
【特許文献３】特許３１３４２２４号公報
【考案の開示】
【考案が解決しようとする課題】
【００１１】
本願考案の目的は、連結と解除が極めて簡単に行うことができる一方、止め具は簡単な操作なくしては容易に解除されない止め具の提供にある。
【課題を解決するための手段】
【００１２】
本願考案は第１係止体とこれに着脱自在に係合する第２係止体とからなるネックレス等の装身具その他の止め具であって、前記第１係止体は支持体に回動可能に軸支され第１弾性部材により噛み合い位置方向に常時付勢される第１噛合い手段を具え、前記第２係止体は基部に一端を支持され他端は両係止体の結合時に前記第１係止体の支持体に収納支持される第２噛合い手段とこの第２噛合い手段を前記第１噛合い手段との噛み合い位置方向に常時付勢する第２弾性部材を具えてなり、前記第１および第２弾性部材への押圧により第１および第２噛合い手段相互の噛合いを解除して第１係止体と第２係止体との結合を分離するようにした止め具を提供して上記従来の課題を解決しようとするものである。
【００１３】
また、上記の止め具において、前記第１噛合い手段の一端には鉤部を設けるとともに回転軸廻りには前記弾性部材として線ばねを介装し、前記第２噛合い手段の一端には前記第２弾性部材の付勢力を解除するための押圧部を形成するとともに前記第１噛合い手段の前記鉤部と噛合う鉤部を設けて構成することがある。
【００１４】
さらに、上記の止め具において、前記第１係止の支持体は上面開口部ならびに端部開口部を有する筐体で構成しこの筐体の上面開口部近傍において前記第１噛合い手段が回転可能に軸支される一方、第１および第２係止体の連結時には前記端部開口部を介して前記第２噛合い手段の一部が前記筐体の下部に収納支持されるように構成することがある。
【００１５】
またさらに、上記いずれか記載の止め具において、前記第２噛合い手段は固定部材と回動部材とからなりこの両者の端部相互は回転可能に軸支されるとともに回動部材と固定部材との間には前記第２弾性部材が介装され記回動部材を常時付勢して第１および第２係止体の連結時に前記回動部材に設けた鉤部が前記第１噛合い手段の鉤部と噛合うようになすことがある。
【考案の効果】
【００１６】
本願考案は以下のような効果を奏する。
（１）  止め具の連結は一対の構成部材の一方の端部を他方の側部に嵌めると言う極めて簡単な動作のみで完了するので、止め具が目に見えない位置にあっても容易に操作できる。
（２）  止め具の連結の解除は一対の構成部材の所要箇所を押圧すると言う極めて簡単な動作のみで実行できる、止め具が目に見えない位置にあっても容易に操作できる。
（３）  止め具は、前記（１）、（２）のように簡単な１動作で連結、解除ができるが、その解除は所定の２箇所を同時に押圧して始めてなされるのであり、不用意に連結が解除されることはなくネックレス等が脱落してしまう惧れがない。
【実施例】
【００１７】
次に、図面により本願考案に係る止め具の１実施例を説明する。  図１は、本願に係る止め具の連結時における側面図である。また、図２は分離時の側面図である。図において、１は、ネックレス等の装身具その他の止め具であって、第１係止体２とこれに着脱自在に係合する第２係止体３とからなっている。  前記第１係止体２は支持体４に回動可能に軸支され後述の第１弾性部材により噛み合い位置方向に常時付勢される第１噛合い手段５を具え、前記第２係止体３は基部６に一端を支持され他端は両係止体２，３の結合時に前記第１係止体２の支持体４に収納支持される第２噛合い手段７とこの第２噛合い手段７を前記第１噛合い手段５との噛み合い位置方向に常時付勢する後述の第２弾性部材を具えている。
【００１８】
前記第１および第２弾性部材への押圧によりすなわち、図１において、前記第１噛合い手段５の端部（図において左方）と第２噛合い手段７の端部に設けた後述の押圧部８を併せて押すことにより、第１および第２噛合い手段相互の噛合いを解除して図２に示すように第１係止体２と第２係止体３との結合を分離できる。
【００１９】
図３は、前記第１噛合い手段５の説明図であり、同図において（ａ）は側面図、（b）は平面図、（c）は（b）におけるB-B線断面図である。第１噛合い手段５の一端には鉤部５ａが形成されており、中央部近傍には回転軸のための軸受け孔５ｃが形成されている。なお、回転軸廻りには後述のように第１弾性部材としての線ばねが介装されている。
【００２０】
また、この第１噛合い手段５はその平面図である（ｂ）に示すように、一方の壁面は曲面状に形成されている。  さらに、図３（ｃ）に示すように第１噛合い手段５は下部が開口する断面コ字形状に形成され、その内部すなわち溝部分に回転軸廻りに取り付けられる前記線ばねが保持固定されるようになっている。
【００２１】
図４は、前記第２噛合い手段７の構成を示す側面図である。図において、７ａは回動部材、７ｂは固定部材であり、この両者の端部相互は回転軸７ｃにより回転可能に軸支され        回動部材７ａの一端には前記第２弾性部材の付勢力を解除するための押圧部８が形成されている。９は、前記第２弾性部材としてのコイルスプリングを収納する孔部でコイルスプリングは常時は回動部材７ａをその鉤部７ｄが第１噛合い手段５の鉤部５ａと噛合う方向（図で上方）へ付勢している。押圧部８の押し下げと第１噛合い手段５の端部の押し下げとにより噛合いは解除される。すなわち、回動部材７ａは矢符Ａ方向に往復動することになる。
そして、回動部材７ａの上部には鉤部７ｄが形成されていて第１噛合い手段５の前記鉤部５ａに噛合って第１係止体２とこれに着脱自在に係合する第２係止体３とを連結固定するようになっている。
【００２２】
図５は、上記の各部材の関連構成を示す説明図であり、この図は第１係止体２と第２係止体３との連結状態を示している。第１係止体２における支持体４は上面開口部ならびに端部開口部を有する筐体で構成されており、この筐体４の上面開口部近傍において前記第１噛合い手段５が回転軸５ｂにより回転可能に軸支されている。一方、第２係止体３の第２噛合い手段７の一方端（図で左方）の大半部は筐体４の端部開口部から筐体４内部の下方に収納支持され、他端は第２係止体３の基部６内に収納されている。
【００２３】
第１噛合い手段５の回転軸５ｂ廻りには第１弾性部材としての線ばね５ｃが介装されバネ端の一方は筐体４内で固定され他端は第１噛合い手段５内で固定されており、このため第１噛合い手段５は回転軸５ｂを支点に時計回りに回動するように付勢されている。
【００２４】
また、第２係止体３の第２噛合い手段７の前記孔部９には第２弾性部材としてのコイルスプリング９ａが挿入されていてその押圧力により回動部材７ａを反時計方向に付勢している。  この結果、第１噛合い手段５の鉤部５ａと回動部材７ａの鉤部７ｄの両者は噛合い、第１係止体２と第２係止体３とはしっかりと連結されることになる。
【００２５】
そして、第１係止体２と第２係止体３との連結を解除するには第１噛合い手段５の端部（図で左方）と第２噛合い手段７の押圧部８とを併せて押して各弾性部材の付勢力を減殺して前記両鉤部相互の噛合いを外して第２係止体３の第２噛合い手段７を筐体４から引き抜くことにより実行する。
【００２６】
ここで重要なのは解除には弾性部材の付勢力の減殺は第１および第２の両噛合い手段においてなす必要があり、そうでないと連結の解除は不可能であり不用意に連結が解除されてしまうような不都合は生じない。なお、第１係止体２と第２係止体３との連結をなすには単に第２噛合い手段７の先端を筐体４の前記端部開口部に挿入すれば前記両鉤部には自動的に噛合いが生じる。
【図面の簡単な説明】
【００２７】
【図１】本願考案の１実施例に係る止め具の連結時における側面図である。また、図２は分離時の側面図である。    医薬品携帯ケースの斜視図である。
【図２】本願考案の１実施例に係る止め具の分離時における側面図である。
【図３】上記実施例に係る止め具の第１噛合い手段の説明図である。
【図４】上記実施例に係る止め具の第２噛合い手段の構成を示す側面図である
【図５】上記実施例に係る止め具における各部材の関連構成を示す説明図である。
【符号の説明】
【００２８】
１．．．．．止め具
２．．．．．第１係止体
３．．．．．第２係止体
４．．．．．筐体
５．．．．．第１噛合い手段
６．．．．．基部
７．．．．．第２噛合い手段
８．．．．．押圧手段
【図１】
0003117711.tif 000003
【図２】
0003117711.tif 000004
【図３】
0003117711.tif 000005
【図４】
0003117711.tif 000006
【図５】
0003117711.tif 000007